(57)【要約】摂取者の口の中で内容物を迅速に放出させる摂取可能な容器である。この摂取可能な容器は、人間又は動物主体の口の中に配置されたときに破れやすい密な繊維状物質から成り、閉キャビティを定める外殻と、該外殻の内側にある閉じた内部容器とを含む。
2004513080.tif 000002
【特許請求の範囲】
【請求項１】
人間又は動物主体の口の中に配置されたときに破れやすい密な繊維状物質から成り、閉キャビティを定める外殻と、前記外殻の内側にある閉じた内部容器とを備えることを特徴とする摂取可能な容器。
【請求項２】
前記密な繊維状物質が、ライスペーパー又はとうもろこしペーパーのような紙であることを特徴とする請求項１に記載の摂取可能な容器。
【請求項３】
前記密な繊維状物質が、アラビアゴムと木部繊維の混合物を含むことを特徴とする請求項１又は請求項２に記載の摂取可能な容器。
【請求項４】
前記外殻が、水分によって少なくとも部分的に柔らかくされることを特徴とする請求項１から請求項３までのいずれかに記載の摂取可能な容器。
【請求項５】
水分が前記外殻を崩壊させることを特徴とする請求項４に記載の摂取可能な容器。
【請求項６】
前記内部容器が、実質的に液体不浸透性であることを特徴とする請求項１から請求項５までのいずれかに記載の摂取可能な容器。
【請求項７】
前記摂取可能な容器が、内部に含まれる物質に対して実質的に気密性のあるシールを形成することを特徴とする請求項１から請求項６までのいずれか１つに記載の摂取可能な容器。
【請求項８】
前記摂取可能な容器が、酸化気体に対して実質的に不浸透性であることを特徴とする請求項７に記載の摂取可能な容器。
【請求項９】
前記摂取可能な容器が、実質的に不透明であることを特徴とする前記請求項のいずれかに記載の摂取可能な容器。
【請求項１０】
前記内部容器が、より高級な同族体の一価アルコールのエステルを含むことを特徴とする請求項１から請求項９までのいずれか１つに記載の摂取可能な容器。
【請求項１１】
前記内部容器が蜂蝋を含むことを特徴とする請求項１０に記載の摂取可能な容器。
【請求項１２】
前記摂取可能な容器が、実質的に消化できない成分を含むことを特徴とする請求項１から請求項１１までのいずれか１つに記載の摂取可能な容器。
【請求項１３】
前記内部容器が、プラスチック材料、パラフィン蝋、及びベークライトのうちの１つ又はそれ以上を含むことを特徴とする請求項１２に記載の摂取可能な容器。
【請求項１４】
前記内部容器に、蜂蝋のような蝋のコーティングが施されていることを特徴とする請求項１から請求項１３までのいずれかに記載の摂取可能な容器。
【請求項１５】
前記実質的に消化できない成分が、綿毛のような繊維性材料であることを特徴とする請求項１２から請求項１４までのいずれかに記載の摂取可能な容器。
【請求項１６】
閉キャビティを定める外殻と、前記外殻の内側にある閉じた内部容器を備え、実質的に消化できない成分を含むことを特徴とする摂取可能な容器。
【請求項１７】
前記内部容器が、プラスチック材料、パラフィン蝋、及びベークライトのうちの１つ又はそれ以上を含むことを特徴とする請求項１６に記載の摂取可能な容器。
【請求項１８】
前記実質的に消化できない成分が、綿毛のような繊維性材料であることを特徴とする請求項１６又は請求項１７に記載の摂取可能な容器。
【請求項１９】
外部容器が、米又は小麦粉のような穀物、或いは、例えばじゃがいも又は米から得られたでんぷんから成ることを特徴とする請求項１６から請求項１８までのいずれか一つに記載の摂取可能な容器。
【請求項２０】
前記内部容器の外側表面積が、前記外殻の内側表面積と同一の広がりを持ち、該内部容器が該外殻の内部を覆うようになったことを特徴とする前記請求項のいずれかに記載の摂取可能な容器。
【請求項２１】
前記内部容器が、前記外殻の内側に形成された膜であることを特徴とする請求項２０に記載の摂取可能な容器。
【請求項２２】
前記内部容器の外側表面積が、前記外殻の内側表面積よりも実質的に小さいことを特徴とする請求項１から請求項１９までのいずれかに記載の摂取可能な容器。
【請求項２３】
前記内部容器が、固定しないで前記外殻の内側に設けられた小袋であることを特徴とする請求項１から請求項１９まで又は請求項２２のいずれかに記載の摂取可能な容器。
【請求項２４】
前記内部容器が複数のチャンバを含むことを特徴とする前記請求項のいずれかに記載の摂取可能な容器。
【請求項２５】
複数の内部容器が前記外殻内に含まれ、各々の内部容器がチャンバを有することを特徴とする前記請求項のいずれかに記載の摂取可能な容器。
【請求項２６】
異なる物質が前記複数のチャンバの各々の中に含まれることを特徴とする請求項２４又は請求項２５に記載の摂取可能な容器。
【請求項２７】
前記摂取可能な容器が摂取されるときに、前記外殻内のチャンバの配置が、少なくとも２つのチャンバの内容物がほぼ同時に放出されるようになっていることを特徴とする請求項２４から請求項２６までのいずれかに記載の摂取可能な容器。
【請求項２８】
前記摂取可能な容器が摂取されるときに、前記外殻の中のチャンバの配置が、前記複数のチャンバの内容物が所定のシーケンスで放出されるようになっていることを特徴とする請求項２４から請求項２６までのいずれかに記載の摂取可能な容器。
【請求項２９】
液体、ペースト、又は錠剤若しくは粉剤のような固体のうちのいずれか１つ又はそれ以上を前記内部容器内に設けることができることを特徴とする前記請求項のいずれかに記載の摂取可能な容器。
【請求項３０】
前記摂取可能な容器内に含まれる物質が、薬物、食物栄養補助食品、化粧品、又は菓子製品のうちの１つ又はそれ以上であることを特徴とする請求項２９に記載の摂取可能な容器。
【請求項３１】
前記摂取可能な容器内に含まれる物質が、ロイヤルゼリーを含むことを特徴とする請求項２９又は請求項３０に記載の摂取可能な容器。
【請求項３２】
前記容器内に含まれる物質が、蜂蜜を含むことを特徴とする請求項２９から請求項３１までのいずれかに記載の摂取可能な容器。
【請求項３３】
前記請求項のいずれか一つに記載の、摂取可能な容器を含む薬剤又は食物栄養補助食品。
【請求項３４】
前記請求項のいずれか一つに記載の、摂取可能な容器を含む糖剤。
【発明の詳細な説明】
【０００１】
（技術分野）
本発明は、摂取可能な容器に関し、特に、その内容物が口の毛細血管を通じて摂取者の血流に吸収されることが意図される、人間又は動物が経口手段により摂取するための容器に関する。
【０００２】
（背景技術）
口の毛細血管からの血流への吸収は、腸の内側からの吸収に優る特定の利点をもたらすものである。例えば、口の毛細血管からの吸収は、より迅速且つ効果的なものとなり得る。さらに、口における吸収は、胃液によって損傷を受けやすく、或いはことによると破壊されることさえある薬物を安全に血流に伝えることができる。
腸からの吸収では、物質が血流に達する前に、消化器系の種々の器官を介して物質が吸収されることになる。このプロセスの間に、物質内の有効成分の効力の多くが失われる可能性がある。これに対して、口からの吸収は、より直接的な経路を血流に提供し、これが有効成分の効力の保持に役立つ。
【０００３】
腸からの薬物又はその種の他のものの吸収は、製造中に薬物を塩の形態に変換する必要があることが多い。塩は、錠剤に圧縮するか、又は粉剤の形態のままカプセルに包むことができる。摂取者は、錠剤又はカプセルを飲み込み、薬物は、消化器系によって最初の形態に戻される。この手法の重大な欠点は、薬物を塩の形態に変換し、該塩を再び薬物に戻すプロセスから通常生じる、薬物の効力の減少である。効力の減少という結果は、薬物の強さ又は量を増加させることにつながる。この強さ又は量の増加は、摂取者の消化器系に損傷をもたらすことがあり、或いは、ことによるともたらされた損傷を増大させることさえある。
【０００４】
口の毛細血管からの薬物の吸収は、迅速な救済を必要とする疾患を治療する手段として長い間用いられてきた。例えば、狭心症は、１世紀以上の間、ニトログリセリンを含むカプセルを舌下に配置することにより治療されてきた。ニトログリセリンを含むカプセルを歯を用いて噛み砕き、内容物を放出させる。多くの場合、単一成分のゼラチンカプセルが使われてきた。
より複雑なプセル構造が提案された。このようなカプセル構造は、摂取者が飲み込むように設計されることが多い。このような１つのゼラチンカプセルが、英国特許第２２８３８９９号に説明される。この英国特許第２２８３８９９号のカプセルは、まずい薬物を好ましくは腸において放出するように制御し、遅らせるために用いられるコーティングを有する。
【０００５】
上述の単一成分のニトログリセリン含有カプセル、及び英国特許第２２８３８９９号のカプセルにより例示されたより複雑なカプセルは、口の中で内容物を放出するのに、摂取者側に時間と労力を要求するものである。明らかに、摂取者は、このようなカプセルを吸ったり噛んだりするのに時間と労力を費やすことを嫌がり、内容物が放出される前にカプセルを飲み込むことを好む。
本発明者は、摂取者の口の中で内容物を放出しようという気にさせる摂取可能な容器に対する必要性があることを認識した。
【０００６】
（発明の開示）
本発明の第１の態様によると、閉キャビティを定め、人間又は動物主体の口の中に配置されたときに破れやすい密な繊維状物質から成る外殻と、該外殻の内側にある閉じた内部容器とを含む摂取可能な容器が提供される。
密な繊維状物質は、大部分が外殻の表面と一致している密に詰まった繊維から成る。従って、外殻は、該外殻の表面に対してほぼ垂直な方向に加えられた力によって破れやすくなっている。従って、外殻は、保存及び取扱い目的に対しては十分な剛性と強度を有するが、口の中に配置されたときにカプセルに加えられる力にはあまり耐えることができない。
【０００７】
密な繊維状物質は、ライスペーパー又はとうもろこしペーパーのような紙から構成することができる。或いは、又はこれに加えて、密な繊維状物質は、アラビアゴムと木質繊維の混合物を含むこともできる。
外殻は、液体によって（少なくとも部分的に）柔らかくすることができる。より具体的には、外殻は、水分によって（少なくとも部分的に）崩壊させられる。摂取者の口の中の唾液によって、実施形態による摂取可能な容器の外殻のこのような崩壊が引き起こされる。
内部容器を、実質的に液体不浸透性のものとすることができる。このような実施形態による摂取可能な容器は、液体又は水分を含む物質のカプセル化に適している。
【０００８】
多くの物質は、空気に曝されると劣化する。従って、特定の実施形態によると、摂取可能な容器は、内容物に対して実質的に気密性のあるシールを形成することができる。より具体的には、摂取可能な容器を酸化気体に対して実質的に不浸透性にすることができる。内部容器によって気密シール又は不浸透性の防壁を形成することができる。
特定の実施形態によると、摂取可能な容器を実質的に不透明なものとすることができる。従って、摂取可能な容器の内容物を太陽光線の有害な影響から保護することができる。
【０００９】
内部容器は、より高級な同族体の一価アルコールのエステルを含むことができる。より具体的には、内部容器は蜜蝋を含むことができる。このような実施形態による摂取可能な容器は、実質的に気密性のあるシールを形成し、液体又は水分を含む物質が外殻の完全な状態に悪影響を及ぼさないようにするという、上述の望ましい性質を有する。さらに、蜜蝋のような、より高級な同族体の一価アルコールのエステルは、口の中に置かれたときに塑性変形を受けがちであり、そのため内容物が放出される。この塑性変形は、唾液分泌、舌の動き及び咀嚼動作などによって引き起こされる。特定の実施形態によると、塑性変形は、例えば口の中に配置された後、約０．５秒から６０秒以内にもたらされる。
【００１０】
摂取可能な容器は、実質的に消化できない成分を含むことができる。消化できない成分が摂取可能な容器内にあることが、摂取者に該容器を飲み込むことを思いとどまらせる。
より具体的には、内部容器は、プラスチック材料、パラフィン蝋及びベークライトのうちの１つ又はそれ以上を含むことができる。
前段落の最後の実施形態において、内部容器に、蜜蝋のような蝋のコーティングを施すことができる。このような蝋のコーティングは、内部容器の周りに気密性及び防湿性のあるシールを形成することができる。
【００１１】
或いは又はさらに、実質的に消化できない成分を、綿毛のような繊維性材料のものにすることができる。例えば、綿毛を用いて、摂取可能な容器の内容物を吸収することができる。
本発明に到達した際、本発明者は、本発明が上述したよりも幅広い用途をもつことに気付いた。摂取可能な容器内に実質的に消化できない成分があることは、該容器の壊れやすさ又はその速さに関わりなく、そのこと自体で、摂取者が摂取可能な容器を口の中に保持させるものである。
【００１２】
従って、第２の態様では、本発明は、閉キャビティを定める外殻と、該外殻の内側にある閉じた内部容器とを含み、実質的に消化できない成分を含む摂取可能な容器を提供する。
本発明のこの態様によると、消化できない成分は、摂取者が摂取可能な容器を飲み込まないようにすることができる。
より具体的には、内部容器は、プラスチック材料、パラフィン蝋及びベークライトのうちの１つ又はそれ以上を含むことができる。或いは又はさらに、実質的に消化できない成分を、綿毛のような繊維性材料とすることができる。
消化できない成分の存在は、本発明の第１の態様による摂取可能な容器よりも摂取可能な容器の設計に大きな自由を提供する。外殻の壊れやすさ及びその速さは、さほど望ましい性質ではない。従って、上述の第１の態様に関する摂取可能な容器の特徴に加えて、外部容器が、小麦粉、又は、例えばじゃがいも若しくは米から得られたでんぷんのような穀物を含むことができる。
【００１３】
本発明の内部容器は、幾つかの形態の１つを有することができる。このような１つの形態によると、内部容器の外側表面積は、外殻の内側表面積と同一の広がりを有することができ、そのため、該内部容器が外殻の内部を沿うようになる。より具体的には、内部容器を外殻の内側に形成された膜とすることができる。
内部容器の別の形態によると、該内部容器の外側表面積を、外殻の内側表面積よりも実質的に小さくすることができる。或いは、又はそれに加えて、内部容器を、固定しないで外殻の内側に設けられた小袋とすることができる。
【００１４】
内部容器は、複数のチャンバを含むことができる。或いは、又はそれに加えて、外殻の中に複数の内部容器を含むことができ、各々の内部容器がチャンバを有するものとすることができる。異なる物質を複数のチャンバの各々の中に含むこともできる。より具体的には、このような実施形態によって構成された摂取可能な容器を摂取した際に、少なくとも２つのチャンバの内容物がほぼ同時に放出されるように、外殻内のチャンバを配置することができる。或いは、又はそれに加えて、複数のチャンバの内容物が所定のシーケンスで放出されるように、外殻内のチャンバを配置することができる。所定の溶解度を内部容器に与えることによって、口の中に置かれた後に内容物がチャンバから放出される時間を制御することができる。
【００１５】
本発明によると、液体、ペースト、又は錠剤若しくは粉剤のような固体のいずれか１つ又はそれ以上を内部容器内に設けることができる。このような物質は、薬物、食物栄養補助食品、化粧品、又は菓子製品のうちの一つ又はそれ以上であってもよい。安定性を保証するために、この物質をベクタと混合させることができる。
最も好ましい実施形態によると、物質がロイヤルゼリーを含むことができる。或いは、又はそれに加えて、この物質は蜂蜜を含むこともできる。
【００１６】
（発明を実施するための最良の形態）
一例として、添付図面を参照して、本発明の特定の実施形態を詳細に説明する。
図１に示すように、本発明による摂取可能な容器１００が、閉キャビティを定める外殻１１０と、該外殻の内面上の膜として設けられる閉じた内部容器１２０とを含む。この内部容器は、該内部容器内に２つのセパレータ１３０を設けることによって形成される３つのチャンバを有する。例えばロイヤルゼリーを含む蜂蜜などの物質をチャンバの１つに入れることができ、朝鮮人参、花粉、又はイチョウなどの異なる物質を他の２つのチャンバの各々に入れることができる。固定していない繊維ボール１４０（消化できない成分を構成する）を中央のチャンバ内に設ける。もちろん、１つ又はそれ以上のチャンバのいずれに繊維ボールを設けてもよい。
【００１７】
外殻１１０は、摂取者の口の中に置かれたときに破れて溶ける、ライスペーパー又はとうもろこしペーパーのような密な繊維状物質で作られる。例えば、舌又は頬によるなど、摂取者の口により加えられた圧力によって外殻が破られる。唾液は、外殻を崩壊させることで容器を壊すのを助ける。
内部容器１２０は、蜜蝋から作られ、該容器の内容物に気密性のあるシールを提供し、液体又は水分を含む内容物が外殻の完全な状態に悪影響を及ぼさないようにする。口の中に置かれると、摂取可能な容器の温度は体温まで上がり、内部容器が柔らかくなって壊れ、これにより内容物が放出される。
【００１８】
固定していない繊維ボール１４０は、綿毛のような消化できない材料で作られる。外殻及び内部容器が摂取者の口の中で壊れた後、固定していない繊維ボール１４０は、摂取者が残留物を飲み込むのを思いとどまらせる。固定していない繊維ボールを、例えば舌下に配置し、内容物をそこに位置する太い血管の近くに運ぶことができる。
摂取可能な容器１００は、上から見ると円形で、側面から見ると細長い、皿の形状である。摂取可能な容器の直径は、一般に１０ｍｍから１００ｍｍまでの範囲であり、高さは、一般に３ｍｍから２０ｍｍまでの範囲である。
【００１９】
図１の摂取可能な容器１００の製造方法２００が、図２に関連して説明される。
米又はとうもろこしのようなものから作られる繊維状物質をペースト状に形成し、ローラに通して、約０．５ｍｍから１ｍｍの厚さの薄いシートを形成する。このシートを切断して、同じ寸法の２枚のシートを形成する。
所定の数のキャビティを有する開放金型上に１枚のシートを置き、各々のキャビティを用いて個別の摂取可能な容器を形成する。金型のキャビティは、図１に示すセパレータ１３０を形成するような形状にされている。シートの裏面に真空が加えられ、該シートがキャビティの内側を覆うようにする。金型を加熱してシートを乾燥させ、該金型を急速に冷却させる２１０。
第２の成形されていないシートを加熱し、急速に冷却させ、上部シートを形成する２２０。
【００２０】
蜜蝋又は極微細な厚さのプラスチック材料のような一つ又はそれ以上の不浸透性物質の層を、必要とされる厚さの不浸透性物質が付着されるまで成型されたシートの上面及び上部シートの表面に噴霧する。次に、不浸透性物質を乾燥させる２３０。
金型のキャビティがセパレータを形成するような形状にされていない場合には、セパレータ１３０を別個に形成し、成型されたシートの上面に配置することができる。成型されたシートと同じ繊維状物質でセパレータを形成することができる。
成型されたシート内のキャビティには、例えば、ロイヤルゼリーを含む蜂蜜、及び中央キャビティ２４０内に配置された固定していない繊維ボールのような、所望の物質が充填される。
【００２１】
不浸透性物質をキャビティの方に向けて成型されたシート上に上部シートを配置し、該上部シートと該成型されたシートとの間にキャビティの内容物を密閉する。上部シート及び成型されたシートを共にプレスし、超音波溶接機又はヒートガンのような適切な工具を用いて、各々のキャビティの周りにシールを形成する２５０。
密封された上部シート及び成型されたシートを各キャビティの周りで切断し、個別の摂取可能な容器を形成する２６０。
上述の実施形態に関連して説明された摂取可能な容器及び他の特徴を、本発明の他の実施形態に組み合わせることができることを理解すべきである。
【図面の簡単な説明】
【図１】
本発明の１つの実施形態である摂取可能な容器を示す。
【図２】
図１の摂取可能な容器の製造方法を表す流れ図である。
【図２】
2004513080.tif 000003
【国際公開パンフレット】
2004513080.tif 000004
2004513080.tif 000005
2004513080.tif 000006
2004513080.tif 000007
2004513080.tif 000008
2004513080.tif 000009
2004513080.tif 000010
2004513080.tif 000011
2004513080.tif 000012
2004513080.tif 000013
2004513080.tif 000014
2004513080.tif 000015
2004513080.tif 000016
2004513080.tif 000017
2004513080.tif 000018
2004513080.tif 000019
2004513080.tif 000020
2004513080.tif 000021
2004513080.tif 000022
2004513080.tif 000023
2004513080.tif 000024
【手続補正書】
【提出日】平成14年8月21日(2002.8.21)
【手続補正１】
【補正対象書類名】明細書
【補正対象項目名】特許請求の範囲
【補正方法】変更
【補正の内容】
【特許請求の範囲】
【請求項１】
人間又は動物主体が摂取するための容器であって、保存／取扱いに耐えるのに十分な強度を有する密な繊維状物質から成って閉キャビティを定める外殻と、該キャビティの内側にある閉じた液体不透過性の内部容器とを備え、前記内部容器は、機械的に弱くて外部容器に保護され、前記主体の血流内に吸収されることになる液体状態の内容物を収容しており、前記密な繊維状物質の性質は、主体の口の中に前記容器を置いたときに該密な繊維状物質が唾液で溶けるようになっており、前記閉じた内部容器の性質は、主体の口の中で破れやすく、前記吸収されることになる内容物が該主体の口の中で放出されるようになっていることを特徴とする容器。
【請求項２】
前記密な繊維状物質が、ライスペーパー又はとうもろこしペーパーのような紙であることを特徴とする請求項１に記載の容器。
【請求項３】
前記密な繊維状物質が、アラビアゴムと木部繊維の混合物を含むことを特徴とする請求項１又は請求項２に記載の容器。
【請求項４】
前記容器が、内容物に対して実質的に気密性のあるシールを形成することを特徴とする請求項１から請求項３までのいずれか１つに記載の容器。
【請求項５】
前記容器が酸化気体に対して実質的に不浸透性であることを特徴とする請求項４に記載の摂取可能な容器。
【請求項６】
前記容器が実質的に不透明であることを特徴とする前記請求項のいずれかに記載の容器。
【請求項７】
前記内部容器が、より高級な同族体の一価アルコールのエステルを含むことを特徴とする前記請求項のいずれかに記載の容器。
【請求項８】
前記内部容器が蜂蝋を含むことを特徴とする請求項７に記載の容器。
【請求項９】
前記容器が、実質的に消化できない成分を含むことを特徴とする前記請求項のいずれかに記載の容器。
【請求項１０】
前記内部容器が、プラスチック材料、パラフィン蝋、及びベークライトのうちの１つ又はそれ以上を含むことを特徴とする請求項９に記載の容器。
【請求項１１】
前記内部容器に、蜂蝋のような蝋のコーティングが施されていることを特徴とする前記請求項のいずれかに記載の容器。
【請求項１２】
前記実質的に消化できない成分が、綿毛のような繊維性材料であることを特徴とする請求項９から請求項１１までのいずれかに記載の容器。
【請求項１３】
前記内部容器の外側表面積が、前記外殻の内側表面積と同一の広がりを持ち、該内部容器が該外殻に沿うようになったことを特徴とする前記請求項のいずれかに記載の容器。
【請求項１４】
前記内部容器が前記外殻の内側に形成された膜であることを特徴とする請求項１３に記載の容器。
【請求項１５】
前記内部容器の外側表面積が、前記外殻の内側表面積よりも実質的に少ないことを特徴とする請求項１から請求項１２までのいずれかに記載の容器。
【請求項１６】
前記内部容器が、固定しないで前記外殻の内側に設けられた小袋であることを特徴とする請求項１から請求項１２又は請求項１５のいずれかに記載の容器。
【請求項１７】
前記内部容器が複数のチャンバを含むことを特徴とする前記請求項のいずれかに記載の容器。
【請求項１８】
複数の内部容器が前記外殻内に含まれ、各々の内部容器がチャンバを有することを特徴とする前記請求項のいずれかに記載の容器。
【請求項１９】
異なる物質が各々のチャンバ内に含まれることを特徴とする請求項１７又は請求項１８に記載の容器。
【請求項２０】
前記容器が摂取されるときに、少なくとも２つのチャンバの内容物がほぼ同時に放出されるように前記チャンバが配置されていることを特徴とする請求項１７から請求項１９までのいずれかに記載の容器。
【請求項２１】
前記容器が摂取されるときに、前記複数のチャンバの内容物が所定のシーケンスで放出されるように前記チャンバが配置されていることを特徴とする請求項１７から請求項１９までのいずれかに記載の容器。
【請求項２２】
前記内容物が、薬物、食物栄養補助食品、化粧品、又は菓子製品のうちの１つ又はそれ以上であることを特徴とする前記請求項のいずれかに記載の容器。
【請求項２３】
前記内容物が、ロイヤルゼリーと蜂蜜のうちの１つ又は両方を含むことを特徴とする請求項２２に記載の容器。
【請求項２４】
前記請求項のいずれかに記載の、容器を含む薬剤又は食物栄養補助食品。
【請求項２５】
前記請求項のいずれかに記載の、容器を含む糖剤。
【手続補正２】
【補正対象書類名】明細書
【補正対象項目名】０００６
【補正方法】変更
【補正の内容】
【０００６】
（発明の開示）
本発明の第１の態様によると、保存／取扱いに耐えるのに十分な強さを有する密な繊維状物質から成り、閉キャビティを定める外殻と、機械的に弱く、外部容器に保護され、主体の血流内に吸収されることになる液体状態の内容物を含む、該キャビティの内側にある閉じた液体不透過性の内部容器とを備える、人間又は動物主体が摂取するための容器が提供され、該密な繊維状物質の性質は、主体の口腔内に該容器を配置したときに該密な繊維状物質が唾液で溶けるようになっており、該閉じた内部容器の性質は、主体の口の中で破れやすく、これにより、該吸収されることになる内容物が該主体の口の中で放出されるようになっている。
密な繊維状物質は、大部分が外殻の表面と一致している密に詰まった繊維から成る。従って、外殻は、該外殻の表面に対してほぼ垂直な方向に加えられた力によって破れやすくなっている。従って、外殻は、保存及び取扱い目的に対しては十分な剛性と強度を有するが、口の中に配置されたときにカプセルに加えられる力にはあまり耐えることができない。


【手続補正３】
【補正対象書類名】明細書
【補正対象項目名】０００７
【補正方法】変更
【補正の内容】
【０００７】
密な繊維状物質は、ライスペーパー又はとうもろこしペーパーのような紙から構成することができる。或いは、又はこれに加えて、密な繊維状物質は、アラビアゴムと木質繊維の混合物を含むこともできる。
外殻は、液体によって（少なくとも部分的に）柔らかくすることができる。より具体的には、外殻は、水分によって（少なくとも部分的に）崩壊させられる。摂取者の口の中の唾液によって、実施形態による摂取可能な容器の外殻のこのような崩壊が引き起こされる。
内部容器を実質的に液体不浸透性のものとすることができる。このような実施形態による摂取可能な容器は、液体又は水分を含む物質のカプセル化に適している。




【国際調査報告】
2004513080.tif 000025
2004513080.tif 000026